(57)【要約】【課題】タイルの貼り直しや修復、解体が容易で、タイルや下地材の再利用が可能なタイル壁面構造、タイル壁面用下地材および壁面用タイルを提供する。【解決手段】タイル壁面構造１が、金属板から成る下地材２の上に粘着剤３でタイル４を貼り付けて成る。粘着剤３は、熱可塑性のホットメルト粘着剤から成っている。粘着剤３は、タイル４が１個あたり複数箇所で下地材２に貼り付けられるよう、下地材２の複数箇所にあらかじめ点状に付着されている。タイル壁面構造１は、下地材２全体を温めて粘着剤３を溶融させてから、下地材２にタイル４を貼り付けて形成されている。【選択図】図１
0003162026.tif 000002
【実用新案登録請求の範囲】
【請求項１】
下地材の上に粘着剤でタイルを貼り付けて成るタイル壁面構造であって、
前記粘着剤が熱可塑性の粘着剤から成ることを、
特徴とするタイル壁面構造。
【請求項２】
前記下地材は金属板から成り、前記粘着剤は前記下地材または前記タイルに点状に付着され、前記タイルは１個あたり複数箇所で前記下地材に貼り付けられていることを、
特徴とする請求項１記載のタイル壁面構造。
【請求項３】
金属板から成り、タイルの取付位置に熱可塑性の粘着剤が付着されていることを、特徴とするタイル壁面用下地材。
【請求項４】
裏面に熱可塑性の粘着剤が付着されていることを、特徴とする壁面用タイル。
【考案の詳細な説明】
【技術分野】
【０００１】
本考案は、タイル壁面構造、タイル壁面用下地材および壁面用タイルに関する。
【背景技術】
【０００２】
従来の乾式のタイル壁面構造は、シリコン系粘着剤を使用して、下地材にタイルを貼り付け形成されている（例えば、特許文献１または２参照）。
【先行技術文献】
【特許文献】
【０００３】
【特許文献１】特開平８−１８４１５６号公報
【特許文献２】実開平４−２１６４６号公報
【考案の概要】
【考案が解決しようとする課題】
【０００４】
しかしながら、特許文献１および２に記載のような従来のシリコン系粘着剤を使用したタイル壁面構造は、一度貼り付けると、そのタイルを貼り直すことができないという課題があった。修復や解体等のとき、タイルや下地材を壊しながら取り外すため、そのための道具が必要であり、手間もかかるという課題があった。また、取り外したタイルや下地材を再利用することができないという課題もあった。
【０００５】
本考案は、このような課題に着目してなされたもので、タイルの貼り直しや修復、解体が容易で、タイルや下地材の再利用が可能なタイル壁面構造、タイル壁面用下地材および壁面用タイルを提供することを目的とする。
【課題を解決するための手段】
【０００６】
上記目的を達成するために、本考案に係るタイル壁面構造は、下地材の上に粘着剤でタイルを貼り付けて成るタイル壁面構造であって、前記粘着剤が熱可塑性の粘着剤から成ることを、特徴とする。
【０００７】
本発明に係るタイル壁面構造は、下地材とタイルとを熱可塑性の粘着剤で熱融着により貼り付けて成るため、施工が容易である。粘着剤が固化するまでの間、タイルを動かすことができるため、タイルの取付け位置の調整が容易である。また、タイルを取り外すとき、固化した熱可塑性の粘着剤を専用のドライヤーやアイロン等で加熱することにより、タイルを壊すことなく容易に取り外すことができる。このため、タイルの貼り直しや修復、解体が容易であり、タイルや下地材の再利用も可能である。熱可塑性の粘着剤は、ブチル系のホットメルト粘着剤などから成ることが好ましい。
【０００８】
本考案に係るタイル壁面構造において、前記下地材は金属板から成り、前記粘着剤は前記下地材または前記タイルに点状に付着され、前記タイルは１個あたり複数箇所で前記下地材に貼り付けられていることが好ましい。
【０００９】
この場合、あらかじめ下地材またはタイルに付着させておいた粘着剤を利用することができるため、施工時に粘着剤を付着させる工程を省くことができ、現場での施工が容易である。また、粘着剤は常温では固化しているため、あらかじめ下地材やタイルに付着させておいても運搬時などに周りに付着しない。粘着剤を点状に付着させておくことにより、シリコン系の粘着剤を線状に付着させる従来のものに比べて、粘着剤の量を減らすことができ、コストを低減することができる。下地材は金属板から成り、熱伝導率が大きいため、下地材全体を温めて、粘着剤を容易に溶融させることができる。このため、タイルの貼り付けや取り外しが容易である。
【００１０】
本考案に係るタイル壁面用下地材は、金属板から成り、タイルの取付位置に熱可塑性の粘着剤が付着されていることを、特徴とする。粘着剤は、タイルを１個あたり複数箇所で貼り付けるよう点状に複数付着されていることが好ましい。
【００１１】
本考案に係るタイル壁面用下地材は、本考案に係るタイル壁面構造で好適に使用される。本考案に係るタイル壁面用下地材は、付着した粘着剤を利用することができるため、施工時に粘着剤を付着させる工程を省くことができ、現場での施工が容易である。また、粘着剤は常温では固化しているため、運搬時などに周りに付着しない。金属板から成り、熱伝導率が大きいため、全体を温めて、粘着剤を容易に溶融させることができる。このため、タイルの貼り付けや取り外しが容易である。
【００１２】
本考案に係る壁面用タイルは、裏面に熱可塑性の粘着剤が付着されていることを、特徴とする。粘着剤は、点状に複数付着されていることが好ましい。
【００１３】
本考案に係る壁面用タイルは、本考案に係るタイル壁面構造で好適に使用される。本考案に係る壁面用タイルは、付着した粘着剤を利用することができるため、施工時に粘着剤を付着させる工程を省くことができ、現場での施工が容易である。また、粘着剤は常温では固化しているため、運搬時などに周りに付着しない。
【考案の効果】
【００１４】
本考案によれば、タイルの貼り直しや修復、解体が容易で、タイルや下地材の再利用が可能なタイル壁面構造、タイル壁面用下地材および壁面用タイルを提供することができる。
【図面の簡単な説明】
【００１５】
【図１】本考案の実施の形態のタイル壁面構造を示す斜視図である。
【考案を実施するための形態】
【００１６】
以下、図面に基づき本考案の実施の形態について説明する。
図１は、本考案の実施の形態のタイル壁面構造を示している。
図１に示すように、タイル壁面構造１は、下地材２と粘着剤３とタイル４とを有している。
【００１７】
下地材２は、金属板から成り、建物の外壁等に取り付けられている。下地材２は、水平方向に伸びる複数の凸部２ａを有している。下地材２は、水平方向に複数の凸部２ａが一列に並んだ列を複数有し、その凸部２ａの各列が上下方向に所定の間隔を開けて互いに平行に設けられている。
【００１８】
粘着剤３は、熱可塑性のホットメルト粘着剤から成り、下地材２の上に付着されている。粘着剤３は、下地材２の各凸部２ａのやや下方に、１つの凸部２ａあたり複数箇所、例えば３箇所、水平方向に所定の間隔をあけて点状に付着されている。これにより、タイル４は、１個あたり複数箇所で下地材２に貼り付けられる。なお、粘着剤３は、施工現場で下地材２に付着されてもよく、工場や倉庫などで下地材２に付着されていてもよい。
【００１９】
タイル４は、正面形状が矩形状のレンガタイルから成り、裏面に下地材２の凸部２ａに係合可能な凹部４ａを有している。タイル４は、一方の側縁に沿って側方に突出した目地用縁部４ｂを有している。目地用縁部４ｂは、タイル４の表面よりも裏面側に窪んで段差を成すよう形成されている。タイル４は、目地用縁部４ｂを上にして、下地材２の凸部２ａに凹部４ａを係合させて、１つの凸部２ａに対して１個取付可能になっている。
【００２０】
タイル壁面構造１は、粘着剤３を加熱して溶融させてから、粘着剤３で下地材２にタイル４を貼り付けて形成されている。タイル４は、１個あたり複数箇所、例えば３箇所で粘着剤３により下地材２に貼り付けられている。タイル壁面構造１は、水平方向に一列に並んだタイル４の列が、上下方向に複数段形成された構造を成している。タイル４の目地用縁部４ｂは、上下方向に並んだタイル４の境界の目地を形成している。
【００２１】
次に、作用について説明する。
タイル壁面構造１は、下地材２とタイル４とを熱可塑性の粘着剤３で熱融着により貼り付けて成るため、施工が容易である。下地材２は金属板から成り、熱伝導率が大きいため、下地材２全体を温めて、粘着剤３を容易に溶融させることができ、タイル４の貼り付けが容易である。粘着剤３が固化するまでの間、タイル４を動かすことができるため、タイル４の取付け位置の調整が容易である。また、タイル４を取り外すとき、固化した熱可塑性の粘着剤３を専用のドライヤーやアイロン等で加熱したり、下地材２全体を温めたりすることにより、タイル４を壊すことなく容易に取り外すことができる。このため、タイル４の貼り直しや修復、解体が容易であり、タイル４や下地材２の再利用も可能である。
【００２２】
タイル壁面構造１は、あらかじめ下地材２に粘着剤３を付着させておくことにより、施工時に粘着剤３を付着させる工程を省くことができ、現場での施工が容易である。また、粘着剤３は常温では固化しているため、あらかじめ下地材２に付着させておいても運搬時などに周りに付着しない。粘着剤３を点状に付着させておくことにより、シリコン系の粘着剤３を線状に付着させる従来のものに比べて、粘着剤３の量を減らすことができ、コストを低減することができる。
【００２３】
なお、粘着剤３は、下地材２の代わりに、タイル４の裏側の複数箇所に、点状に付着されていてもよい。この場合でも、あらかじめ粘着剤３を付着させておくことにより、施工時に粘着剤３を付着させる工程を省くことができ、現場での施工が容易である。また、粘着剤３は常温では固化しているため、運搬時などに周りに付着しない。
【符号の説明】
【００２４】
１  タイル壁面構造
２  下地材
２ａ  凸部
３  粘着剤
４  タイル
４ａ  凹部
４ｂ  目地用縁部
【図１】
0003162026.tif 000003